(57)【要約】【課題】  板屋根上に太陽光発電モジュールを桟で下地を作らずに直接載せて、その太陽光発電モジュールを板屋根の下から簡単に固定できる構造を提供する。【解決手段】  建造物の折板屋根２上に対して外枠４の下部に内向きに形成されたフランジ５を有する太陽光発電モジュール３を取着する構造である。  その構造は、太陽光発電パネル１を敷設した太陽光発電モジュール３の外枠４が載る各コーナー付近の折板屋根２の山部６にボルト孔７を設ける。  また、前記ボルト孔７に対応する位置に載る前記太陽光発電モジュール３のフランジ５部分にボルト８を下向きに固設する。  そして、前記折板屋根２のボルト孔７に差し込んだ前記太陽光発電モジュール３のボルト８を該折板屋根２の下からナット９で折板屋根２とフランジ５とを固定できるようにする。【選択図】      図１
0003105645.tif 000002
【実用新案登録請求の範囲】
【請求項１】
建造物の折板屋根上に対して外枠の下部に内向きに形成されたフランジを有する太陽光発電モジュールを取着する構造において、
該太陽光発電モジュールの外枠が載る各コーナー付近の折板屋根の山部に設けたボルト孔と、
前記ボルト孔に対応する位置に載る前記太陽光発電モジュールのフランジ部分に下向きに固設したボルトと、
前記折板屋根のボルト孔に差し込んだ前記太陽光発電モジュールのボルトを該折板屋根の下から折板屋根とフランジとを固定するナットと、
から成る太陽光発電モジュールの折板屋根への設置構造。
【請求項２】
建造物の折板屋根上に対して外枠の下部に内向きに形成されたフランジを有する太陽光発電モジュールを一対又は複数並列対に取着する構造において、
該太陽光発電モジュールの外枠が載る対の中間及び外側の各コーナー付近の折板屋根の山部に設けたボルト孔と、
前記外側のボルト孔に対応する位置に載る前記太陽光発電モジュールのフランジ部分に下向きに固設したボルトと、
上面には、少なくとも２本分のフランジ幅を超える幅を有する平面部と、両翼端に左右点対称にフランジの厚さと同厚に折り返した回転締り翼片を備え、中央下部面には前記中間のボルト孔に挿通可能なボルトを下面に突設した絞り固定金具と、
前記折板屋根の中間のボルト孔に滑りワッシャーを介して差し込んだ前記固定金具のボルトを該折板屋根の下から回転させてフランジを回転締り翼片で挟み着けて折板屋根とフランジを固定するナットと、
前記折板屋根の外側のボルト孔に差し込んだ前記太陽光発電モジュールのボルトを該折板屋根の下から折板屋根とフランジとを固定するナットと、
から成る太陽光発電モジュールの折板屋根への設置構造。
【考案の詳細な説明】
【技術分野】
【０００１】
本考案は、駐車場や倉庫などの建造物の折板屋根に対して太陽光発電モジュールを設置する構造に関する。
【背景技術】
【０００２】
現在、折板屋根に対して太陽光発電モジュールを設置する場合、折板屋根は大きな凹凸が波型に形成されているのでそのまま設置することが大変難しく、特許文献１に示すように、波型の折板屋根の上に縦横の桟を格子状に形成して下地を整えてから、その桟の上に太陽光発電モジュールの貼り付けを行っている。
また、従来の太陽光発電モジュールは枠体に固定されていないので、その太陽光発電モジュールの周囲を押し縁などのカバーを宛がって押さえ付けように固定することが行われている。
【０００３】
このような従来の方法では、桟やカバーなどの部材とそれらを組み立てる手間も必要であり、この部材費及び手間代が大きいために、トータルコストを削減しようとしてもその効果があまり上がらなかった。
【特許文献１】特開２００２−１８０６０９号
【考案の開示】
【考案が解決しようとする課題】
【０００４】
本考案は、上記実情に鑑みてなされたもので、折板屋根に対する太陽光発電モジュールの取り着けで、太陽光発電モジュールをこていするための下地となる縦横の桟を全く用いずに、折板屋根に対して直に固定できる太陽光発電モジュールの折板屋根への設置構造を提供するものである。
【課題を解決するための手段】
【０００５】
上記課題を解決するために、本考案は、建造物の折板屋根上に対して外枠の下部に内向きに形成されたフランジを有する太陽光発電モジュールを取着する構造である。
その構成は、該太陽光発電モジュールの外枠が載る各コーナー付近の折板屋根の山部にボルト孔を設ける。
また、前記ボルト孔に対応する位置に載る前記太陽光発電モジュールのフランジ部分にボルトを下向きに固設する。
そして、前記折板屋根のボルト孔に差し込んだ前記太陽光発電モジュールのボルトを該折板屋根の下からナットで折板屋根とフランジとを固定するものである。
【０００６】
請求項２に記載の考案は、建造物の折板屋根上に対して外枠の下部に内向きに形成されたフランジを有する太陽光発電モジュールを一対又は複数並列対に取着する構造である。
その構成は、該太陽光発電モジュールの外枠が載る対の中間及び外側の各コーナー付近の折板屋根の山部にボルト孔を設ける。
そして、前記外側のボルト孔に対応する位置に載る前記太陽光発電モジュールのフランジ部分にボルトを下向きに固設する。
【０００７】
また、上面には、少なくとも２本分のフランジ幅を超える幅を有する平面部と、両翼端に左右点対称にフランジの厚さと同厚に折り返した回転締り翼片を備え、中央下部面には前記中間のボルト孔に挿通可能なボルトを下面に突設した絞り固定金具を用い、前記折板屋根の中間のボルト孔に滑りワッシャーを介してボルト部分を差し込み、そのボルトにナットを該折板屋根の下から螺着し、そのナットを回転させて絞り固定金具を回転させてフランジを回転締り翼片で挟み着けて折板屋根とフランジを固定する。
そして、前記折板屋根の外側のボルト孔に差し込んだ前記太陽光発電モジュールのボルトを該板屋根の下からナットを螺着して折板屋根とフランジとを固定するものである。
【考案の効果】
【０００８】
本考案は上記構成であり、従来の折板屋根では波型の大きな凹凸に対して平面を固定するための縦横の桟を使用しなければならなかったが、本考案では折板屋根に対して直に太陽光発電モジュールを固定する構造なので、従来のような桟下地は不要となり、従来よりも下地材料とその組み立て手間が省略されるために、大幅なコスト削減が可能となった。
また、太陽光発電モジュールを多く敷き詰める場合にも、折板屋根の下からナットで固定する構造なので、建造物の折板屋根への取着け施工の際に、太陽光発電モジュールの上から行う作業がなくなり、その結果、施工過程において起きやすい太陽光パネル表面への傷発生の原因も解消されることになった。
このように、太陽光発電モジュールを取り付けた折板屋根を安価に提供できるようになった。
【考案を実施するための最良の形態】
【０００９】
本考案の実施の形態を以下図で説明する。
本考案は、図１に示すように、駐車場の建造物の折板屋根２上に対して外枠４の下部に内向きに形成されたフランジ５を有する太陽光発電モジュール３を取着する構造である。
その構成は、図７の（イ）及び（ロ）に示すように、太陽光発電パネル１を敷設した太陽光発電モジュール３の外枠４が載る各コーナー付近の折板屋根２の山部６にボルト孔７を設ける。
また、図８に示すように、前記ボルト孔７に対応する位置に載る前記太陽光発電モジュール３のフランジ５部分にボルト８を下向きに固設する。
そして、前記折板屋根２のボルト孔７に差し込んだ前記太陽光発電モジュール３のボルト８を該折板屋根２の下からナット９で折板屋根２とフランジ５とを固定する。
【００１０】
また、請求項２に記載の考案の形態は、図１に示すように、建造物の折板屋根２上に対して外枠４の下部に内向きに形成されたフランジ５を有する太陽光発電モジュール３を一対又は複数並列対に取着する構造である。
その構成は、図２の（イ）及び（ロ）に示すように、太陽光発電パネル１を敷設した該太陽光発電モジュール３の外枠４が載る対の中間（図３に示す）及び外側（図４に示す）の各コーナー付近の折板屋根２の山部６にボルト孔１０、１１を設ける。
【００１１】
外側は、図８に示すように、前記外側のボルト孔１１に対応する位置に載る前記太陽光発電モジュール３のフランジ５部分にボルト１２を下向きに固設する。
中間は、図５の（イ）及び（ロ）に示すように、上面には、少なくとも２本分のフランジ幅Ｗを超える幅Lを有する平面部１４と、両翼端に左右点対称にフランジ５の厚さと同厚に折り返した回転締り翼片１５を備え、中央下部面には前記中間のボルト孔１０に挿通可能なボルト１６を下面に突設した絞り固定金具１３を用い、前記折板屋根２の中間のボルト孔１０に滑りワッシャー１９を介してボルト１６部分を差し込み、そのボルト１６にナット１７を該折板屋根２の下から螺着し、図６の（イ）及び（ロ）に示すように、そのナット１７を回転させて絞り固定金具１３を回転させてフランジ５を回転締り翼片１５で挟み着けて折板屋根２とフランジ５を固定する。
そして、図２の（ロ）に示すように、前記折板屋根２の外側のボルト孔１１に差し込んだ前記太陽光発電モジュール３のボルト１２を該折板屋根２の下からナット１８を螺着して折板屋根２とフランジ５とを固定する。
【産業上の利用可能性】
【００１２】
本考案では、太陽光発電モジュールのフランジ部分に設けるボルトの位置は、折板屋根メーカーの山頂部の幅や波型のピッチなど仕様に合わせて設けることで、どのメーカーの製品にも対応させることが可能である。
【図面の簡単な説明】
【００１３】
【図１】本考案の斜視図である。
【図２】請求項２の形態を示す（イ）が平面図、（ロ）が縦断側面図である。
【図３】図２の側面から見た固定金具での固定部の縦断側面図である。
【図４】図２の側面から見たボルトによる固定部の縦断側面図である。
【図５】固定金具をフランジに対して開いた状態を示す（イ）が正面から見た縦断側面図、（ロ）が平面図である。
【図６】固定金具をフランジに対して閉じた状態を示す（イ）が正面から見た縦断側面図、（ロ）が平面図である。
【図７】請求項１の形態を示す（イ）が平面図、（ロ）が縦断側面図である。
【図８】図７における折板屋根とフランジの固定部を拡大した縦断側面図である。
【符号の説明】
【００１４】
１      太陽光発電パネル
２      折板屋根
３      太陽光発電モジュール
４      外枠
５      フランジ
６      折板屋根の山部
７      ボルト孔
８      ボルト
９      ナット
１０    中間のボルト孔
１１    外側のボルト孔
１２    ボルト
１３    絞り固定金具
L      絞り固定金具の平面部の幅
Ｗ      ２本分のフランジが載せられる幅
１４    絞り固定金具の平面部
１５    絞り固定金具の回転締り翼片
１６    絞り固定金具のボルト
１７    ナット
１８    ナット
１９    滑りワッシャー
【図１】
0003105645.tif 000003
【図２】
0003105645.tif 000004
【図３】
0003105645.tif 000005
【図４】
0003105645.tif 000006
【図５】
0003105645.tif 000007
【図６】
0003105645.tif 000008
【図７】
0003105645.tif 000009
【図８】
0003105645.tif 000010